(57)【要約】オフィスパネル仕切りは、直立材および水平構造部材を有し、その各側部に少なくとも４つのアパーチャを画定するパネルフレームを含む。仕切りは少なくとも４つの突起を有するカバーを含み、突起はカバー部材をフレームに取り外し可能に固定するために４つのアパーチャに挿入可能である。アパーチャは、少なくとも２つの垂直方向に離間した水平行と、少なくとも２つの水平方向に離間した垂直列とに配置され、異なる水平方向寸法および垂直方向寸法を有し、カバーが取り付けられると、カバーはアパーチャのうちの１つの狭い水平方向寸法および垂直方向寸法により正確に位置付けられるが、アパーチャの残りの水平方向寸法および垂直方向寸法はより大きいため、カバーの正確な配置を依然として維持しつつ製造公差のばらつきにより良好に対応する。
2005517841.tif 000002
【特許請求の範囲】
【請求項１】
オフィスパネル仕切りにおいて、
少なくとも２つのほぼ垂直な直立材と前記垂直な直立材を固く相互接続する水平構造部材とを有するパネルフレームであって、第１の側部と反対側の第２の側部とを有し、前記パネルフレームの前記第１の側部に少なくとも４つのアパーチャを画定する、パネルフレームと、
前記仕切りの外面を画定する主平面を有するカバー部材であって、少なくとも４つの突起が延びており、前記４つの突起はそれぞれ共通の突起構成を有し、前記少なくとも４つの突起は、前記少なくとも４つのアパーチャに取り外し可能に挿入可能であり、前記アパーチャへの前記突起の挿入により、前記カバー部材が前記フレームに取り外し可能に固定される、カバー部材と
を備え、
前記アパーチャは、少なくとも２つの垂直方向に離間した水平の行および少なくとも２つの水平方向に離間した垂直の列に配置され、
前記列のうちの第１の列の前記アパーチャは、前記列のうちの他の列に位置付けられる前記アパーチャの水平方向寸法とは異なる水平方向寸法を有し、
前記突起はそれぞれ、前記アパーチャのそれぞれに挿入されると、ある範囲の横方向位置を持つ前記共通の突起構成を有し、前記列のうちの前記第１の列の前記アパーチャにより提供される前記横方向位置の範囲は、前記列のうちの他の列の前記アパーチャにより提供される前記横方向位置の範囲よりも狭く、
前記行のうちの第１の行に位置付けられる前記アパーチャは、前記行のうちの他の行に位置付けられる前記アパーチャの垂直方向寸法とは異なる垂直方向寸法を有し、
前記突起はそれぞれ、前記アパーチャのそれぞれに挿入されると、ある範囲の垂直方向位置を持つ前記共通の突起構成を有し、前記行のうちの第１の行の前記アパーチャにより提供される前記垂直方向位置の範囲は、前記行のうちの他の行の前記アパーチャにより提供される前記垂直方向位置の範囲よりも狭い、オフィスパネル仕切り。
【請求項２】
前記共通の突起構成とは異なる第２の突起構成を有する少なくとも１つの取り付け突起をさらに備え、
前記パネルフレームは、前記パネルフレームの前記第１の面に開口を画定し、前記取り付け突起は、前記カバー部材から延びて前記開口に取り外し可能に挿入可能である、請求項１に記載のオフィスパネル仕切り。
【請求項３】
前記少なくとも４つの突起はそれぞれ、前記突起を前記カバー部材に接続するベースセクションを有し、前記少なくとも４つの突起の前記ベースセクションは、少なくとも２つの異なる構成を有する、請求項１に記載のオフィスパネル仕切り。
【請求項４】
前記少なくとも４つのアパーチャは、第１の空間パターンに配置された第１の組のアパーチャを画定し、
前記パネルフレームは第２の組の少なくとも４つのアパーチャを含み、
前記第２の組のアパーチャは前記第１の空間パターンに配置され、
前記第１および第２の組のアパーチャの前記アパーチャはそれぞれ、前記パターン内に所定の場所を有し、
前記第１および第２の組のアパーチャのうち、前記パターン内に共通の所定の場所を有する前記アパーチャは、ほぼ等しい寸法を有し、
前記第１の組のアパーチャは、前記第２の組のアパーチャから垂直方向に離間している、請求項１に記載のオフィスパネル仕切り。
【請求項５】
前記第２の組のアパーチャに取り外し可能に取り付け可能な第２のカバー部材をさらに備える、請求項４に記載のオフィスパネル仕切り。
【請求項６】
前記パネルフレームは、前記第１の組のアパーチャと前記第２の組アパーチャとの間に位置する垂直方向の高さで前記フレームに取り付けられる再配置可能な水平梁を含む、請求項５に記載のオフィスパネル仕切り。
【請求項７】
前記カバー部材のうちの少なくとも１つは、少なくとも１つの取り付け突起を含み、
前記取り付け突起は、前記共通の突起構成とは異なる第２の突起構成を有し、
前記再配置可能な水平梁は開口を画定し、
前記取り付け突起は、前記カバー部材のうちの前記少なくとも１つから延びて、前記開口に取り外し可能に挿入可能である、請求項６に記載のオフィスパネル仕切り。
【請求項８】
前記カバー部材は、前記第１および第２の組のアパーチャそれぞれを覆う高さを有し、
前記カバー部材は、前記共通の突起構成を有する少なくとも６つの突起を含み、
前記少なくとも６つの突起は、前記第１の組のアパーチャの前記アパーチャそれぞれと、前記第２の組のアパーチャの前記アパーチャのうちの少なくとも２つとに挿入可能であり、
前記カバー部材は、前記第２の組のアパーチャの、狭い範囲の垂直方向位置を有する前記アパーチャの行では、前記パネルフレームに取り付けられない、請求項４に記載のオフィスパネル仕切り。
【請求項９】
床スペースを分割する仕切りパネルにおいて、
一対の水平方向に離間した垂直フレーム部材、および前記垂直フレーム部材間に延びて前記垂直フレーム部材を固く相互接続する一対の垂直方向に離間した水平フレーム部材を有し、ほぼ垂直の対向する側面を有する剛性のあるフレームを形成するフレームと、
前記水平フレーム部材間の選択された垂直方向位置に着脱可能に配置され、前記垂直フレーム部材間に延びる中間水平梁であって、水平行を形成する複数のアパーチャを有する側面を画定する、中間水平梁と、
前記フレームに固定され、前記側面のうちの選択された一方の少なくとも一部を覆うカバーパネルと
を備える、床スペースを分割する仕切りパネル。
【請求項１０】
前記垂直フレーム部材はそれぞれ、複数の垂直方向に離間したコネクタを含み、
前記水平梁は、前記コネクタのうちの選択されたものに接続して、前記水平梁の垂直方向位置を調整する、請求項９に記載の仕切り。
【請求項１１】
前記コネクタはアパーチャを備える、請求項１０に記載の仕切り。
【請求項１２】
前記水平梁は、前記水平梁の両端部に、前記アパーチャに受け入れられて前記水平梁を前記垂直フレーム部材に固定するフックを含む、請求項１１に記載の仕切り。
【請求項１３】
前記水平梁は、前記カバーパネルを固定するための取り付け開口を含み、
前記カバーパネルは、前記取り付け開口に着脱可能に受け入れられて前記カバーパネルを前記フレームに固定するコネクタを含む、請求項９に記載の仕切り。
【請求項１４】
前記カバーパネルは、水平方向に延びる下縁を有する上部カバーパネルを備え、
水平方向に延びる上縁を有する下部カバーパネルであって、前記上縁は前記下縁から離間して、前記中間水平梁の前記アパーチャへのアクセスを提供する水平方向に細長いギャップを画定する、下部カバーパネルを含む、請求項９に記載の仕切り。
【請求項１５】
仕切りパネルにおいて、
ほぼ垂直な対向する側面を画定する剛性のある仕切りフレームであって、水平方向寸法および垂直方向寸法をそれぞれ画定する少なくとも４つのアパーチャを含む、剛性のある仕切りフレームと、
第１の垂直方向寸法および第１の水平方向寸法を有する、前記アパーチャのうちの第１のアパーチャと、
前記第１の垂直方向寸法とほぼ同じ垂直方向寸法と、前記第１の水平方向寸法よりも大きい水平方向寸法とを有する、前記アパーチャのうちの第２のアパーチャと、
前記第１の垂直方向寸法よりも大きい垂直方向寸法と、前記第１の水平方向寸法とほぼ同じ水平方向寸法とを有する、前記アパーチャのうちの第３のアパーチャと、
前記第１の垂直方向寸法よりも大きい垂直方向寸法と、前記第１の水平方向寸法よりも大きい水平方向寸法とを有する、前記アパーチャのうちの第４のアパーチャと、
カバーパネルであって、前記アパーチャのそれぞれに受け入れられて前記仕切りフレームに前記カバーパネルを支持および位置決めするコネクタを有する、カバーパネルと
を備える、仕切りパネル。
【請求項１６】
前記仕切りフレームは、固く相互接続されてほぼ矩形の外周を形成する、一対の垂直側部フレーム部材と一対の水平フレーム部材とを含み、
前記仕切りパネルは、前記垂直側部フレーム部材間に延びて前記垂直側部フレーム部材を相互接続する中間水平梁であって、壁掛け式家具ユニットを支持するための水平方向のコネクタ行を含む、中間水平梁を含む、請求項１５に記載の仕切りパネル。
【請求項１７】
前記水平方向のコネクタ行は前記梁の開口を備える、請求項１６に記載の仕切りパネル。
【請求項１８】
前記第１および第３のアパーチャはＴ字形を有し、前記第２および第４のアパーチャはＵ字形を有し、
前記カバーパネルは、前記アパーチャそれぞれに着脱可能に受け入れられるばねクリップを含む、請求項１５に記載の仕切りパネル。
【請求項１９】
前記仕切りフレームは、前記カバーパネルを支持するためのアパーチャを有する中間水平梁を含み、
前記カバーパネルは、前記梁の前記アパーチャに受け入れられるコネクタを含む、請求項１８に記載の仕切りパネル。
【請求項２０】
前記水平梁は、前記仕切りフレーム内に垂直に再配置されることができる、請求項１９に記載の仕切りパネル。
【請求項２１】
前記水平梁は、壁掛け式家具ユニットを支持するための水平方向のアパーチャ行を有する、請求項２０に記載の仕切りパネル。
【請求項２２】
仕切りパネルにおいて、
一対の水平方向に離間した直立フレーム部材、ならびに前記直立フレーム部材間に延びて前記直立フレーム部材を固く相互接続する垂直方向に離間した上部および下部水平フレーム部材であって、床面に自立して直立位置で当接支持されるようになっており、開放された内部空間を画定する剛性のある仕切りフレームを形成する、直立フレーム部材ならびに上部および下部水平フレーム部材と、
前記直立フレーム部材間の、前記上部水平フレーム部材と前記下部水平フレーム部材との間の場所に延びる一対の並んだ水平梁であって、それぞれが、前記直立フレーム部材に着脱可能に接続される両端を有し、水平方向のアパーチャ行および第１のコネクタを含む、一対の並んだ水平梁と、
前記仕切りフレームに固定されて前記開放された内部空間の少なくとも一部を塞ぐカバーパネルであって、前記第１のコネクタと係合して前記水平梁のうちの選択された一方に前記カバーパネルを固定する第２のコネクタを含む、カバーパネルと
を備える仕切りパネル。
【請求項２３】
前記直立フレーム部材は複数の並んだ開口を含み、
前記水平梁はそれぞれ、前記開口のうちの選択されたものに取り外し可能に受け入れられるフックをその両端に含む、請求項２２に記載の仕切りパネル。
【請求項２４】
仕切りパネルにおいて、
一対の水平方向に離間した直立フレーム部材、ならびに前記直立フレーム部材間に延びて前記直立フレーム部材を固く相互接続する垂直方向に離間した上部および下部水平フレーム部材であって、床面に自立して直立位置で当接支持されるようになっている剛性のある仕切りフレームを形成し、前記直立フレーム部材はそれぞれ、前記上部水平フレーム部材と前記下部水平フレーム部材との間の場所に少なくとも１つの開口を備える側面を有し、前記仕切りフレームは開放された内部空間を画定する、直立フレーム部材、ならびに上部および下部水平フレーム部材と、
前記直立フレーム部材間の、前記上部水平フレーム部材と前記下部水平フレーム部材との間の場所に延びる、一対の並んだ水平梁であって、それぞれが、前記直立フレーム部材の前記開口に受け入れられるフックを両端に有し、第１のコネクタを含む、水平梁と、
前記仕切りフレームに固定されて前記開放された内部空間の少なくとも一部を塞ぐカバーパネルであって、前記第１のコネクタと係合して前記水平梁のうちの選択された一方に前記カバーパネルを固定する第２のコネクタを含む、カバーパネルと
を備える、仕切りパネル。
【請求項２５】
前記水平梁は水平方向のアパーチャ行を含み、
前記仕切りパネルは、壁掛け式家具ユニットであって、前記アパーチャのうちの選択された１つに受け入れられて前記仕切りフレームで前記壁掛け式家具ユニットを支持するコネクタを有する、壁掛け式家具ユニットを備える、請求項２４に記載の仕切りパネル。
【請求項２６】
前記水平梁は、前記開口と係合して前記フックの偶発的な係脱を防止する可撓性タブを、前記フックそれぞれに隣接して含む、請求項２４に記載の仕切りパネル。
【請求項２７】
自立形仕切りシステムにおいて、
複数の剛性のある自立形仕切りフレームを有するスパイン壁であって、前記仕切りフレームはそれぞれ、垂直側部フレーム部材ならびに前記垂直側部フレーム部材間に延びて前記垂直側部フレーム部材を固く相互接続する上部および下部水平フレーム部材を含み、外周を画定し、前記垂直側部フレーム部材および前記下部水平フレーム部材はそれぞれ、前記外周に隣接して延びるスロット行を有し、隣接する仕切りフレームの前記垂直側部フレーム部材は、固く相互接続されて前記スパイン壁を形成し、前記仕切りフレームのうちの少なくとも１つは、水平方向のスロット行を有する中間梁を有し、前記中間梁は、前記上部水平フレーム部材と前記下部水平フレーム部材との間の位置で前記垂直側部フレーム部材に着脱可能に接続される、スパイン壁と、
垂直側縁を含む外周、および前記中間梁の前記水平方向のスロット行のうちの選択されたものと係合する上部ブラケットを含む剛性オフモジュール仕切りフレームであって、下部ブラケットを含み、前記下部ブラケットは、前記下部水平フレーム部材の前記水平方向のスロット行のうちの選択されたものと係合して、前記スパイン壁に沿った選択された水平方向位置で前記オフモジュール仕切りと接続するフックを有する、剛性オフモジュール仕切りフレームと
を備える、自立形仕切りシステム。
【請求項２８】
前記上部および下部ブラケットは、前記スロットと係合して前記ブラケットが偶発的に外れるのを防止するように構成される可撓性の延長部を、前記フックに隣接して含む、請求項２７に記載の自立形仕切りシステム。
【請求項２９】
前記垂直側部フレーム部材は、前記垂直側部フレーム部材に沿って内部にユーティリティラインを垂直方向に配線することができるようになっている、外側に開口したチャネルを含み、
前記上部水平フレーム部材はそれぞれ、前記上部水平フレーム部材に沿って内部にユーティリティラインを水平方向に配線することができるようになっている、上方に開口したチャネルを有する、請求項２７に記載の自立形仕切りシステム。
【請求項３０】
自立形仕切りシステムにおいて、
少なくとも第１および第２の剛性のある自立形仕切りフレームであって、前記仕切りフレームはそれぞれ、側縁を画定する垂直側部フレーム部材、および前記垂直側部フレーム部材間に延びて前記垂直側部フレーム部材を固く相互接続する上部および下部水平フレーム部材を含み、ほぼ四辺形の外周を画定する、少なくとも第１および第２の剛性のある自立形仕切りフレームを備え、
前記仕切りフレームは、前記側縁それぞれに隣接して第１の開口を有する上面を有し、
隣接する前記フレームの第１の開口は、間に第１の距離を画定し、
前記第１および第２の仕切りフレームの前記垂直側部フレーム部材は、前記仕切りフレームの隣接する前記側縁が互いに当接した状態で上部ブラケットにより相互接続され、
前記仕切りフレームそれぞれの少なくとも第１の垂直側部フレーム部材の前記垂直側壁部には開口が開いており、
前記上部ブラケットはそれぞれ、前記第１の距離よりも短い第２の距離だけ離間した一対の第２の開口が開いている板状部材を備え、
前記自立形仕切りシステムは、前記第１および第２の開口に受け入れられるねじ式締結具を含み、
前記ねじ式締結具は、前記ねじ式締結具を締めると前記第１および第２の仕切りフレームの隣接する前記垂直側部フレーム部材が互いにしっかりと当接係合されるように、ほぼ円錐形のヘッドを有する、自立形仕切りシステム。
【請求項３１】
前記側部フレーム部材は、対向する内面および外面を有する垂直側壁部を有し、前記仕切りフレームそれぞれの少なくとも第１の垂直側部フレーム部材の前記垂直側壁部には開口が開いており、
前記自立形仕切りシステムは、前記第１および第２の仕切りフレームの隣接する前記垂直側部フレーム部材を相互接続する下部ブラケットを含み、前記下部ブラケットは、選択された前記垂直側部フレーム部材に固定されるベース部と、前記ベース部から垂直方向に延びる可撓性部と、前記可撓性部から水平方向に延びる舌部とを有し、前記舌部は、前記垂直側壁部の前記開口に受け入れられて前記内面と係合する拡大端部を有し、前記上部ブラケットの前記ねじ式締結具の締め付けにより、前記第１および第２の仕切りフレームを互いに水平方向に整列させ、前記舌部に張力を加えて前記可撓性部を曲げ、それにより前記側縁の下側部分に沿って前記仕切りフレームを互いに接触させる、請求項３０に記載の自立形仕切りシステム。
【請求項３２】
前記上部水平フレーム部材は、上方に開口したチャネルを有し、
前記板状部材は、前記チャネルに受け入れられて前記仕切りフレームを整列させる、請求項３１に記載の自立形仕切りシステム。
【請求項３３】
前記下部ブラケットの前記舌部は、前記開口内に密接に嵌まって前記仕切りフレームを水平方向に整列させる、請求項３２に記載の自立形仕切りシステム。
【請求項３４】
垂直側縁を画定するほぼ四辺形の外周を有する第１および第２の仕切りフレームと、
第１および第２の垂直側面を有する第１のブラケットであって、前記側面はそれぞれ、前記仕切りフレームの選択された前記垂直側縁に接続するようになっており、前記側面はそれぞれ、一対の垂直方向に延びる対向スロットを有する垂直方向に延びるチャネルを有する、第１のブラケットと
を備え、
前記第１および第２の仕切りフレームは、前記仕切りフレームの選択された前記垂直側縁に第２のブラケットを有し、前記第２のブラケットは、前記垂直方向に延びる対向スロット内に摺動可能に受け入れられる対向して延びる部分を有し、それにより前記第１および第２の仕切りフレームを相互接続する、自立形仕切りシステム。
【請求項３５】
前記第１のブラケットは、一対の垂直方向に延びる対向スロットを有する垂直方向に延びるチャネルを含む第３の垂直側面を含み、前記側面は、互いに対して１２０°の角度で配置されて、平面図でＶ字形状またはＹ字形状を有する接合部を形成するように仕切りフレームを接続することを可能にする、請求項３４に記載の自立形仕切りシステム。
【請求項３６】
前記第１のブラケットは、一対の垂直方向に伸びる対向スロットを有する垂直方向に延びるチャネルを含む第３および第４の垂直側面を含み、前記側面は、互いに対して直角に配置されて、平面図でＬ字形状、Ｔ字形状、またはＸ字形状を有する接合部を形成する、請求項３４に記載の自立形仕切りシステム。
【請求項３７】
少なくとも１つの壁掛け式家具ユニットを含み、
前記壁掛け式家具ユニットは、前記アパーチャのうちの選択された１つの中に延びて前記壁掛け式家具ユニットを支持する少なくとも１つのコネクタを有する、請求項９に記載の床スペースを分割する仕切りパネル。
【請求項３８】
前記側面の前記複数のアパーチャは一定間隔で離間している、請求項９に記載の床スペースを分割する仕切りパネル。
【発明の詳細な説明】
【技術分野】
【０００１】
［発明の背景］
本発明は、オープンオフィスプラン（open office plans）等に関する。
【０００２】
建物フロアスペースの効率的な使用は、特に建設コストが上昇し続ける限り、永久に増大していく問題である。オフィス全体のコストを低減するために、オープンオフィスプランが開発されており、こういったプランは、一般に、建物内に、モジュール式(modular)家具システムを備えた大きなオープンフロアスペースを組み込んでおり、こういったモジュール式の家具システムは、容易に再構成して特定のユーザの永久に変化していくニーズに対応することができるとともに、異なるテナントの異なる要求にも対応することができる。家具オープンプラン用に通例用いる構成の１つは、取り外し可能に相互接続されてオープンスペースを個々のワークステーションおよび／またはオフィスに仕切る、可動の仕切りパネルを含む。このような仕切りパネルは、作業表面(worksurface)、オーバーヘッドキャビネット、棚等の壁掛け式家具ユニットを受けるように構成されており、オフィス家具産業において「システム家具」として一般的に知られている。オープンプランを分割するおよび／または仕切る他の構成は、モジュール式家具の構成を含み、複数の異なる形状の自立形家具ユニットが、並んだ関係で配置され、直立したプライバシースクリーンを家具ユニットの少なくとも一部に取り付けて、個々の異なるワークステーションおよび／またはオフィスを作り出す。こういったタイプのモジュール式家具システムの両方、および他のものは、永久的な賃貸借物件の改良の一部ではないので、主として容易に再構成および／または新しい場所に移動することができるために、広く受け入れられてきている。
【０００３】
現在、いくつかのタイプの家具システムは、壁掛け式家具ユニットを支持するために垂直方向のスロット列を利用している。また、収納ユニット、作業表面等の壁掛け式家具ユニットを支持するために水平方向のスロット列を利用するシステムが開発されている。既存の家具システムには、一般に、仕切りフレームに取り付けられてフレームを閉じ、就業者に視覚的および聴覚的プライバシーを与えるカバーパネルが含まれる。しかしながら、既存の家具システムは、壁掛け式家具ユニットの場所を容易に調節することができるようにするのに十分な柔軟性を提供することができない。さらに、既存のシステムのカバーパネルの位置決めが問題となる場合がある。
【０００４】
［発明の概要］
本発明の一態様は、少なくとも２つのほぼ垂直な直立材と該垂直な直立材を固く相互接続する水平構造部材とを有するパネルフレームを含む、オフィスパネル仕切りを提供することである。パネルフレームは、第１の側部と反対側の第２の側部とを有し、その第１の側部に少なくとも４つのアパーチャ(aperture)を画定する。仕切りは、仕切りの外面を画定する主平面を有するカバー部材も含む。カバー部材からは、少なくとも４つの突起が延びており、４つの突起はそれぞれ共通の突起構成を有する。この少なくとも４つの突起は、少なくとも４つのアパーチャに取り外し可能に挿入可能である。アパーチャへの突起の挿入により、カバー部材がフレームに取り外し可能に固定される。アパーチャは、少なくとも２つの垂直方向に離間した水平の行および少なくとも２つの水平方向に離間した垂直の列に配置される。列のうちの第１の列のアパーチャは、列のうちの他の列に位置付けられるアパーチャの水平方向寸法とは異なる水平方向寸法を有する。突起はそれぞれ、アパーチャのそれぞれに挿入されると、ある範囲の横方向位置を有する共通の突起構成を有する。列のうちの第１の列のアパーチャにより提供される横方向位置の範囲は、列のうちの他の列のアパーチャにより提供される横方向位置の範囲よりも狭い。行のうちの第１の行に位置付けられるアパーチャは、行のうちの他の行に位置付けられるアパーチャの垂直方向寸法とは異なる垂直方向寸法を有する。突起はそれぞれ、アパーチャのそれぞれに挿入されると、ある範囲の垂直方向位置を有する共通の突起構成を有する。行のうちの第１の行のアパーチャにより提供される垂直方向位置の範囲は、行のうちの他の行のアパーチャにより提供される垂直方向位置の範囲よりも狭い。
【０００５】
本発明の別の態様は、床スペースを分割する仕切りパネルであり、仕切りパネルは、一対の水平方向に離間した垂直フレーム部材と、垂直フレーム部材間に延びて垂直フレーム部材を固く相互接続する一対の垂直方向に離間した水平フレーム部材とを有し、ほぼ垂直の対向する側面を有する剛性のあるフレームを形成するフレームを含む。中間水平梁が、水平フレーム部材間に配置され、垂直フレーム部材間に延びる。中間梁は、水平方向のアパーチャ行を形成する複数のアパーチャが開いている側面を画定する。仕切りパネルはさらに、少なくとも１つのコネクタを有する少なくとも１つの壁掛け式家具ユニットを含み、少なくとも１つのコネクタは、アパーチャのうちの選択された１つの中に延びて壁掛け式家具ユニットを支持する。カバーパネルは、フレームに固定され、側面のうちの選択された一方の少なくとも一部を覆う。
【０００６】
本発明のさらに別の態様は、ほぼ垂直な対向する側面を画定する剛性のある仕切りフレームを含む仕切りパネルである。仕切りフレームは、水平方向寸法および垂直方向寸法をそれぞれ画定する少なくとも４つのアパーチャを含む。アパーチャのうちの第１のアパーチャは、第１の垂直方向寸法および第１の水平方向寸法を有する。アパーチャのうちの第２のアパーチャは、第１の垂直方向寸法とほぼ同じ垂直方向寸法と、第１の水平方向寸法よりも大きい水平方向寸法とを有する。アパーチャのうちの第３のアパーチャは、第１の垂直方向寸法よりも大きい垂直方向寸法と、第１の水平方向寸法とほぼ同じ水平方向寸法とを有する。アパーチャのうちの第４のアパーチャは、第１の垂直方向寸法よりも大きい垂直方向寸法と、第１の水平方向寸法よりも大きい水平方向寸法とを有する。仕切りパネルはさらに、コネクタを有するカバーパネルを含み、コネクタは、アパーチャのそれぞれに受け入れられて仕切りフレームにカバーパネルを支持および配置する。
【０００７】
本発明のさらに別の態様は、床スペースを分割する仕切りパネルであり、仕切りパネルは、一対の水平方向に離間した垂直フレーム部材と、垂直フレーム部材間に延びて垂直フレーム部材を固く相互接続する一対の垂直方向に離間した水平フレーム部材とを有し、ほぼ垂直の対向する側面を有する剛性のあるフレームを形成するフレームを含む。中間水平梁が、水平フレーム部材間に配置され、垂直フレーム部材間に延びる。中間梁は、水平行を形成する複数のアパーチャが開いている側面を画定する。仕切りパネルは、少なくとも１つのコネクタを有する少なくとも１つの壁掛け式家具ユニットを含み、少なくとも１つのコネクタは、アパーチャのうちの選択された１つの中に延びて壁掛け式家具ユニットを支持する。仕切りパネルはさらに、フレームに固定されて対向する側面のうちの選択された一方の少なくとも一部を覆うカバーパネルを含む。
【０００８】
本発明のさらに別の態様は、仕切りパネルであり、仕切りパネルは、一対の水平方向に離間した直立フレーム部材と、直立フレーム部材間に延びて直立フレーム部材を固く相互接続する垂直方向に離間した上部および下部水平フレーム部材とを含み、これらフレーム部材は、床面に自立して直立位置で当接支持されるようになっている剛性のある仕切りフレームを形成する。仕切りフレームは開放された内部空間を画定する。一対の並んだ水平梁が直立フレーム部材間に延び、水平梁はそれぞれ、直立フレーム部材に接続される両端を有する。各水平梁は、水平方向のアパーチャ行および第１のコネクタを含む。水平梁は、上部水平フレーム部材と下部水平フレーム部材との間の場所に配置される。仕切りパネルはさらに、仕切りフレームに固定され、開放された内部空間の少なくとも一部を塞ぐカバーパネルを含む。カバーパネルは、第１のコネクタと係合して水平梁のうちの選択された一方にカバーパネルを固定する第２のコネクタを含む。
【０００９】
本発明のさらに別の態様は、仕切りパネルであり、仕切りパネルは、一対の水平方向に離間した直立フレーム部材と、直立フレーム部材間に延びて直立フレーム部材を固く相互接続する垂直方向に離間した上部および下部水平フレーム部材とを含み、これらフレーム部材は、床面に自立して直立位置で当接支持されるようになっている剛性のある仕切りフレームを形成する。仕切りフレームは開放された内部空間を画定する。仕切りパネルは、直立フレーム部材間の、上部水平フレーム部材と下部水平フレーム部材との間の場所に延びる、一対の並んだ水平梁を含む。各水平梁は、直立フレーム部材に接続されるフックを両端に有し、第１のコネクタも含む。カバーパネルは、仕切りフレームに固定され、開放された内部空間の少なくとも一部を塞ぐ。
【００１０】
本発明のこれらおよび他の特徴、利点、および目的は、明細書の以下の説明、添付の特許請求の範囲、および添付図面を参照することにより当業者にはさらに理解されるであろう。
【００１１】
［好適な実施形態の詳細な説明］
本明細書中の説明のために、用語「上部」「下部」「右側」「左側」「後部」「前部」「垂直」「水平」およびそれらの派生語は、図１Ａの向きでの本発明に関するものとする。しかしながら、本発明は、別段の明示がない限り、種々の代替の向きおよびステップ順序をとることができることを理解すべきである。また、添付図面に示され明細書中以下で説明される特定のデバイスおよびプロセスは、添付の特許請求の範囲に定義される本発明の概念の例示的な実施形態にすぎないことも理解すべきである。したがって、本明細書に開示される実施形態に関する特定の寸法および他の物理的特徴は、特許請求の範囲が特に明記しない限り限定としてみなされるべきではない。
【００１２】
参照符号１（図１Ａおよび図１Ｂ）は、本発明を具現する仕切りシステム１を全体的に示しており、この仕切りシステムは、オープンオフィスプランおよび他の同様の設定および環境で使用するために特に設計される。仕切りシステム１は、固く相互接続されて作業空間３を画定する複数の仕切りフレーム２を含み、作業空間３は、作業表面４、棚５、または収納ユニット６等の種々の壁掛け式家具ユニットを含んでよい。以下でより詳細に説明するように、複数のカバーパネルすなわち「スキン」７は、仕切りフレーム２に接続されて仕切りフレーム２を閉じ、ユーザにプライバシーを提供することができる。トリム(trim)部材７Ａ、７Ｂ、および７Ｃはフレーム２の縁部を覆い、ベーストリム７Ｄが仕切りの下部を塞ぐ。下部フレーム部材１０は、床面１８の上方に離間して、下部水平配線管１５２を画定する。配線管１５２内の電力線１５３および電源コンセント１５４が、仕切りシステムに電力を供給する。
【００１３】
図３をさらに参照すると、仕切りフレーム２は、一対の直立フレーム部材８Ａ、８Ｂ、ならびに上部フレーム部材９および下部フレーム１０を含む。水平フレーム部材９および１０は、直立フレーム部材間に延び、垂直フレーム部材８Ａと８Ｂとを固く相互接続して仕切りフレーム２を形成する。中間梁１１Ａおよび１１Ｂは、垂直フレーム部材８Ａおよび８Ｂと着脱可能に相互接続され、仕切りフレーム２の内部に垂直に再配置することができる。以下でより詳細に説明するように、梁１１Ａは、カバーパネル７を取り付けるための開口２３および２４を含む「軽荷重用」梁であり、壁掛け式家具ユニットを支持するためのスロット１５を含まない。同様に以下でより詳細に説明するように、梁１１Ｂは構造梁であるが、カバーパネル７を取り付けるための開口２３および２４を含み、作業表面４、棚５、または収納ユニット６等の壁掛け式家具ユニットを支持するための水平スロット列１５も含む。上部水平フレーム部材９は上部水平スロット列１２を含み、下部水平フレーム部材１０は下部水平スロット列１３を含む。垂直フレーム部材８Ａおよび８Ｂはそれぞれ、垂直スロット列１４を含む。水平スロット列１２、１３を利用して、図１に示す棚５および収納ユニット６等の壁掛け式家具ユニットを支持してもよい。垂直フレーム部材８の垂直スロット列１４を利用して、図１に示す作業表面４等の壁掛け式アイテムを支持してもよい。フレーム２は、足部１７と螺合可能に係合して、床面１８の凹凸を考慮するように仕切りフレーム２の高さを調整するグライド(glide)１６を含む。垂直フレーム部材８Ａおよび８Ｂは、上部水平スロット列１２と位置合わせされて垂直フレーム部材８にわたって連続スロット列１２を提供する、上部開口１９（図６も参照）および２０を含む。同様に、垂直フレーム部材８Ａおよび８Ｂは、中間梁１１と位置合わせされて連続水平スロット列１５を提供する開口２１および２２を、複数の垂直方向に離間した場所に含む。
【００１４】
以下でより詳細に説明するように、上部水平フレーム部材９は、カバーパネル７を固定するための複数の開口２３を含み、下部水平フレーム部材１０は、同様にカバーパネル７を固定するために利用される開口２４を含む。同様に以下でより詳細に説明するように、「左側」垂直フレーム部材８Ａは、同様にカバーパネル７を仕切りフレーム２に固定するために利用される左上開口２５および左下開口２６を含む。「右側」垂直フレーム部材８Ｂは、右上開口２７および右下開口２８を含み、これらもそれぞれ、カバーパネル７を支持するために利用される。上部水平フレーム部材９は、上方に開口したＵ字形チャネル２９を含み、仕切りの上縁に沿った通信回線３０等のユーティリティラインの布設を可能にする。同様に、垂直側部フレーム部材８は垂直方向外側に開口したチャネル２９Ａ（図４）を含み、フレーム２の垂直側縁に沿ったユーティリティラインの垂直方向の配線を可能にする。上部水平フレーム部材９は開口５８を含み、フレーム部材９を通したユーティリティラインの配線を可能にし、下部水平フレーム部材１０には開口５９（図２）が通り、下部フレーム部材１０を通したユーティリティラインの通過を可能にする。図６をさらに参照すると、垂直フレーム部材８Ａおよび８Ｂは複数の大きいアパーチャ３１も含み、垂直フレーム部材８Ａおよび８Ｂを通した配線または他のユーティリティラインの通過を可能にする。各垂直フレーム部材８Ａ、８Ｂは、第１の側面３２に複数の開口２５および２６を、反対側の第２の側面３３に複数の開口２７および２８を含む。したがって、垂直フレーム部材８の向きに応じて、垂直フレーム部材８を「左側」垂直フレーム部材８Ａ（図３）として利用してもよく、または「右側」垂直フレーム部材８Ｂとして利用してもよい。
【００１５】
図３Ａをさらに参照して、横部材９は、ほぼＵ字形の断面を形成する下部水平ウェブ(web)２１５および垂直側部ウェブ２１６を含む。水平部２１７が垂直側部ウェブ２１６から内側に延び、内側傾斜（inwardly angled）部２１８が水平部２１７から下方に延びる。縁部２１９が傾斜部２１８から水平に延びる。以下で詳細に説明するように、下部水平フレーム部材９および上部水平フレーム部材１０はそれぞれ、フレーム部材９および１０の両端部を垂直フレーム部材８Ａおよび８Ｂに溶接することを容易にする傾斜フランジ２３２を含む。
【００１６】
図３Ｃをさらに参照すると、垂直フレーム部材８Ａは、垂直方向に延びる外側ウェブ２２８、縁ウェブ部２２９、およびオフセット縁ウェブ部２３０を含むほぼ管状の断面形状を有する。内側に延びる垂直ウェブ部２３３が互いに向かって延び、シーム(seam)２３４において密接に嵌合する。垂直方向に延びるＶ字溝２３１が、垂直方向に延びるウェブ部２２８と２３３との間の交点に形成される。組み立てられると、水平フレーム部材９および１０の傾斜ウェブ２３２は垂直方向に延びるＶ字溝２３１に受け入れられる。図３Ｄをさらに参照すると、溶接材料のビード(bead)２３５が、垂直フレーム部材８Ａを水平フレーム部材９および１０に固く相互接続する。Ｖ字溝２３１および傾斜フランジ２３２は、平坦な表面をもたらし、溶接材料２３５が外側に突出して見苦しい外観を生じさせること、および／またはカバーパネル７または他の構成要素の搭載の邪魔になることがないようにする。好ましくは、フレーム部材８Ａ、９、および１０はそれぞれ、ロール成形されることにより、費用の面で効率的ではあるが剛性があり耐久性のある構造を提供する。図３Ｆをさらに参照すると、コーナーブラケット部材１９３は、垂直直立材８Ａ内に受け入れられることができ、垂直直立材８Ａおよび上部水平フレーム部材９に溶接されて、フレーム２の上角部を補強する。コーナーブラケット１９３は、図４４に関連して以下でより詳細に説明する。
【００１７】
図１１をさらに参照すると、複数の構造中間梁１１Ｂを仕切りフレーム２に搭載して、隣接する仕切りフレーム２にわたって延びる連続スロット列１５を提供してもよい。この構成により、収納ユニット６等の壁掛け式家具ユニットの連続的な水平方向の調整が可能になる。垂直フレーム部材８の開口２１および２２により、収納ユニット６を、隣接するフレーム２に沿った任意の水平方向の場所に配置することができ、特定の用途に必要な場合は、一対の隣接する直立材８にまたがってもよい。
【００１８】
図１２〜図１４を参照すると、軽荷重用梁１１Ａは、カバーパネル７を搭載するための複数の開口２３および２４を含む。しかしながら、梁１１Ａは、収納ユニット６等の壁掛け式家具ユニットを支持するための水平スロット列１５を含まない。したがって、梁１１Ａは、壁掛け式家具ユニットを特定の場所に必要としてはいないが分割されたカバーパネル７が望まれるような用途に利用される。梁１１Ａは、各端部に一対のタブ３６を含み、タブ３６はそれぞれ、フック３８を形成するテーパ状スロット３７を含む。各垂直フレーム部材８Ａおよび８Ｂ（図６）は、開口２１および２２とほぼ同じ高さに位置付けられる開口３９の対（図１７Ａおよび１７Ｂ）を含む。梁１１Ａは、フック３８を所望の高さの開口３９に挿入することにより装着される。各垂直直立材８Ａおよび８Ｂは、第１の側面３２に隣接する開口３９の対と第２の側面３３に隣接する開口３９の別の対とを含み、一対の梁１１Ａが、同じ高さに背中合わせで搭載することができるようになっている。あるいは、分割カバーパネル７が仕切りフレーム２の片側のみに搭載されている場合、１つの梁１１Ａを垂直フレーム部材８の片側に搭載することができる。梁１１Ａは、垂直ウェブ４０と、垂直ウェブ４０から延びて下方に延びるフランジ４３で終わる上部水平ウェブ４１とを含む。同様に、下部水平ウェブ４２は、垂直ウェブ４０から延び、上方に延びるフランジ４４で終わる。
【００１９】
構造中間梁１１Ｂ（図１５〜図１７）は、フック３８Ｂを形成するテーパ状スロット３７Ｂを有するタブ３６Ｂを含み、フック３８Ｂは、中間梁１１Ａのフック３８に関連して上述したのとほぼ同じ方法で垂直フレーム部材８の開口３９に受け入れられる。中間梁１１Ｂは、垂直ウェブ４６および上方に延びるフランジ４９で終わる上部ウェブ４７を有する第１の部材４５を含む。同様に、第１の部材４５の下部ウェブ４８は下方に延びるフランジ５０で終わる。第１の内部補強部材５１は、水平ウェブ５５により相互接続される第１の垂直ウェブ５３および第２の垂直ウェブ５４を含む。内側フランジ５６は、第２の垂直ウェブ５４から内側に延びる。第２の内部補強部材５２は、第１内部補強部材５１の鏡像である。背板５７は、溶接または他の適当な処理（arrangement）により第１および第２の内部補強部材５１および５２に固定され、第１の部材４５も、第１および第２の内部補強部材５１および５２に同様に固定される。第１の部材５４、第１および第２の補強部材５１および５２、ならびに背板５７の組み合わせは、合わせて実質的な構造強度を与え、家具ユニットが、壁掛け式家具ユニットのフック（図示せず）を水平スロット列１５に挿入することにより中間梁１１Ｂで支持されるようになっている。水平スロット列に搭載されるこのような壁掛け式家具ユニットの一例は、Steelcase, Inc.（Grand Rapids, Michigan）が製造しているＰａｔｈｗａｙｓ（登録商標）Ｓｅｇｍｅｎｔ（登録商標）収納庫（storage bin）である。構造梁１１Ｂは、選択された高さで仕切りフレーム２に選択的に配置することができ、収納ユニット６等の壁掛け式家具ユニットは、水平スロット列１５に沿った所望の場所に水平方向に配置することができる。したがって、壁掛け式家具ユニットは、所望の場所に配置することができ、かつ垂直方向および水平方向の両方に調整することができる。
【００２０】
代替の実施形態では、梁１１Ｂは、第１の部材４５および／または背板５７に溶接または他の方法で固定される１つのハット形状の細長い補強部材を含む。
【００２１】
図１７Ａおよび図１７Ｂをさらに参照すると、梁１１Ｂは、フック３８が開口３９から偶発的に係脱することを防止するばね鋼安全キャッチ（safety catch）８１を含んでもよい。安全キャッチ８１は、構造梁１１Ｂに８２においてスポット溶接されてよく、端部８３が、矢印「Ａ」（図１７Ａ）の方向に外側に曲がることができるようになっている。フック３８を開口３９に挿入する際、タブ８４の端部が垂直フレーム部材８７の外面８７と接触し、矢印Ａの方向に曲がる。フック３８の挿入後、梁１１Ｂは下方にずれてフック３８と係合する。次に、キャッチ８１の端部８３は梁１１Ｂと平行な位置に戻り、タブ８４が開口３９に嵌まり、梁１１Ｂが偶発的に上方にずれてフック３８が係脱しないようになる。フック３８を係脱させるには、キャッチ８１の小さいストレートタブ８８を掴み、端部８３を外側に曲げてタブ８４を係脱させ、梁１１Ｂが上方にずれてフック３８が開口３９から外れるようにすることができる。必要であれば、軽荷重用中間梁１１Ａもまた安全キャッチ８１を含んでよい。
【００２２】
図１８Ａは、開口２５〜２８により提供される寸法および公差設計（dimension and tolerancing scheme）を概略的に示す。フレーム２の開口２５〜２８の寸法および構成は、隣接するカバーパネル７間のギャップの見苦しいばらつき（variations）につながる公差スタックアップ（tolerance stack ups）を軽減しつつ、より大きい製造公差を可能にするように選択される。図１８Ａに概略的に示すように、左上開口２５は、比較的小さい水平方向寸法Ｗ１および比較的小さい垂直方向寸法Ｈ１を有する。これにより、開口２５に受け入れられるカバーパネル搭載クリップ６０（図２６も参照）は、カバーパネル７の左上角部を「ピン留め」し、水平方向または垂直方向の浮動をほとんどまたは全く許さない。開口２６もまた、比較的小さい幅Ｗ１を有し、カバーパネル７の左下角部の水平方向の浮動を防止する。しかしながら、開口２６は、寸法Ｈ１よりも幾分大きい垂直方向寸法Ｈ２を有するため、カバーパネル７の左下角部は垂直方向に浮動することができる。右上開口２７は、開口２５の垂直方向寸法と同じ比較的小さい垂直方向寸法Ｈ１を有し、カバーパネル７の右上角部の垂直方向の浮動を実質的に防止する。開口２７は、水平方向寸法Ｗ１よりも大きい水平方向寸法Ｗ２を有するため、カバーパネル７の右上角部は水平方向に浮動することができる。開口２８は、カバーパネル７の右下角部が水平方向および垂直方向の両方に浮動することができるような垂直方向寸法Ｈ２および水平方向寸法Ｗ２を有する。したがって、開口２５、２６、２７、および２８に受け入れられるクリップはそれぞれ、フレーム２にカバーパネル７を保持するが、カバーパネル７の右垂直側縁は浮動し、カバーパネル７の水平下縁も浮動する。この公差設計は、開口２５〜２８を異なる向きにして利用することもできることを理解すべきである。例えば、開口２８は、垂直方向寸法Ｈ１および水平方向寸法Ｗ１を有してもよい。この例では、開口２５は寸法Ｈ２およびＷ２を有することになり、開口２６および２７の寸法は図１８Ａの構成から変わることになる。
【００２３】
図１８Ｂをさらに参照すると、カバーパネル７は、複数の側部クリップ６０と複数の上部および下部クリップ６１とを含む。側部クリップ６０は、垂直フレーム部材８Ａおよび８Ｂの開口２５、２６、２７、および２８（図７〜図１０）に受け入れられる。以下でより詳細に説明するように、クリップ６０（図２４〜図２６）は一対の外側Ｖ字形フィンガ２３を含み、フィンガ２３は、比較的剛性があり、クリップがＴ字形開口２５（図７）および２６（図８）と係合するとカバーパネル７の水平方向移動を防止する。クリップ６０は、Ｕ字形開口２７（図９）または２８（図１０）に装着されるとクリップ６０のいくらかの水平方向移動を可能にする、比較的可撓性を有する中心「フィンガ」７５も含む。重要な点は、Ｔ字形開口２５および２６はフィンガ７３と係合するが、フィンガ７５のためのクリアランスを提供することである。これとは反対に、Ｕ字形開口２７および２８は、フィンガ７３のためのクリアランスを提供することにより水平方向の浮動を可能にしつつ、可撓性の中央フィンガ７５とのみ係合するように構成される。したがって、１つのクリップ構造６０を、Ｔ字形開口２５および２６と係合するとカバーパネル７の位置を水平方向にロックするために利用することができるが、Ｕ字形開口２７および２８と係合すると水平方向の浮動を可能にするためにも利用することができる。全高カバーパネル７を利用する場合、上部および下部クリップ６１は上部フレーム部材９の開口２３および下部水平フレーム部材１０の開口２４と係合する。あるいは、分割カバーパネル７を中間水平梁１１Ａまたは１１Ｂとともに利用する場合、上部および下部クリップ６１は中間水平梁１１Ａまたは１１Ｂの開口２３および２４と係合する。図１９〜図２２をさらに参照すると、各上部および下部クリップ６１は、カバーパネル７の第１の開口６４に受け入れられる第１のタブ６２を含む。同様に、クリップ６１の第２のタブ６３は、カバーパネル７の第２の開口６５に受け入れられる。各上部および下部クリップ６１は、タブ６７を有する可撓性リテーナ６６を含む。各上部および下部クリップ６１を開口６４および６５に装着する際、タブ６７は最初にカバーパネル７と接触し、開口６４および６５へのタブ６２および６３の挿入を可能にするように曲がる。タブ６２および６３が完全に係合した後、可撓性リテーナ６６は図１９〜図２２に示す位置に戻り、タブ６７は開口６４の縁と係合して、クリップ６１が偶発的に外れるのを防止する。可撓性のＶ字形部６８は仕切りフレーム２の開口２３または２４に受け入れられ、小さい保持タブ６９がフレーム部材の内側壁と係合することにより、カバーパネル７を保持する。各上部および下部クリップ６１のベース部７０は、カバーパネル７に対して静止しており、可撓性のＶ字形部６８が、仕切りフレーム２に装着されると矢印「Ａ」（図１９）の方向にクリップ６１およびカバーパネル７を付勢する力を発生するようになっている。少なくとも１つの下部クリップ６１および少なくとも１つの上部クリップ６１が各カバーパネル７において利用され、クリップ６１は互いに対して１８０°回転した状態であるため、上部および下部クリップ６１の付勢力が逆方向に垂直���働く。
【００２４】
図２４〜図２６をさらに参照すると、各側部クリップ６０は、一対の外側Ｖ字形フィンガ７３により相互接続される第１および第２のベース部７１および７２を含む。各Ｖ字形部７３は、装着されると仕切りフレーム２の開口の内側縁に対して横方向を向く（bears laterally）ことにより仕切りフレーム２にクリップ６０およびカバーパネル７を保持する傾斜部７４を含む。それよりも大きい中央フィンガ７５は同様に、仕切りフレーム２にクリップ６０およびカバーパネル７を保持する傾斜部７６を含む。クリップ６０は、カバーパネル７の開口８０に受け入れられる第１および第２のタブ７７および７８を含む。可撓性リテーナ７９は、カバーパネル７の表面８６と接触し、タブ７７および７８の上面８５を付勢してカバーパネルフレーム部材５８の内側と係合させる。
【００２５】
図７を参照すると、各左上開口２５は、幅Ｗ１および高さＨ１を有する垂直部８９を含む「Ｔ」字形を有する。寸法Ｈ１は、クリップ６０の幅Ｄ（図２５）よりもわずかに大きいだけであるため、クリップ６０は開口２５に配置されると垂直方向にずれることができない。開口２５は、水平切欠部９０も含む。側部クリップ６０が開口２５と係合すると、中央フィンガ７５は切欠部９０内に延びてカバーパネル７を水平方向に位置付け、保持機能を果たさない。
【００２６】
外側フィンガ７３は、ほぼＶ字形であり、カバーパネル７をしっかりと保持して横方向に移動するのを防止する。中央フィンガ７５もＶ字形である。しかしながら、フィンガ７５の端部７５Ａは片持ち式(cantilevered)であり、クリップ６０がＵ字形開口２７または２８に受け入れられると矢印「Ｂ」（図２６）の方向にずれるのを可能にする。このようなずれは、カバーパネル７の寸法のばらつきおよび／または開口２５〜２８のサイズ／場所により必要とされる可能性がある。
【００２７】
フレーム２の搭載開口２５〜２８の形状により、クリップ６０のどのフィンガが開口と係合するかが決まる。Ｔ字形開口２５および２６はフィンガ７３と係合し、それによりカバーパネル７の左側垂直縁の水平方向の位置を「ロック」する。反対に、Ｕ字形開口２７および２８は中央フィンガ７５とのみ係合する。中央フィンガ７５は外側フィンガ７３よりもはるかに可撓性があるため、カバーパネル７の寸法が製造公差等により変化する場合、カバーパネル７の右側垂直縁が「浮動」する。
【００２８】
側部クリップ６０は、クリップ６０の傾斜部７６が開口２５の切欠部９０内に延び、外側フィンガ７３の傾斜部７４が開口２５の垂直縁９１および９２と係合するような向きになる。各左下開口２６（図８）もＴ字形を有し、幅Ｗ１および高さＨ２を有する垂直部９３を含む。左下開口２６は、左上開口２５の切欠部９０とほぼ同様の水平切欠部９４を含む。左上開口２５の垂直部８９は左下開口２６の垂直部９３と同じ幅Ｗ１を有するが、垂直部８９および９３の高さＨ１およびＨ２はそれぞれ異なる。寸法Ｗ１およびＨ１は、左上側部ばねクリップ６０が高精度で（with close tolerance）左上開口２５と係合するように選択されるため、左上側部ばねクリップ６０は左上開口２５内で水平方向にも垂直方向にもずれることができない。しかしながら、高さＨ２は高さＨ１よりも高いため、左下側部クリップ６０は左下開口２６内で垂直方向にずれて、下部クリップ６０の位置を開口２６内で垂直方向に「ずらす」製造公差等による一対の側部クリップ６０間の垂直距離のばらつきに対応することができる。また、左下開口２６の幅Ｗ１は、左下クリップ６０の水平方向のずれを防止する。
【００２９】
図９および図１０をさらに参照すると、右上開口２７は左上開口２５の高さＨ１と同じ高さＨ１を有し、右下開口２８は左下開口２６の高さＨ２と同じ高さＨ２を有する。上述のように、寸法Ｈ１は側部クリップ６０の幅Ｄ（図２５）よりもわずかに大きいだけであるため、右上開口２７の側部クリップ６０は垂直方向に密接して位置付けられる。しかしながら、右下開口２８の高さＨ２は側部クリップ６０の幅Ｄよりも実質的に大きいため、右下開口２８に位置付けられた側部クリップ６０は垂直方向にずれて寸法のばらつきに対応することができる。
【００３０】
開口２７および２８はそれぞれ、縁９６を有するタブ９５を含む。開口２７および２８は、タブ９５に隣接する切欠部９７も含む。側部クリップ６０が開口２７および２８に挿入されると、クリップ６０の中央フィンガ７５はタブ９５の縁９６に係合し、外側フィンガ７３は切欠部９７内に配置されるが、切欠部９７の側縁９８とは接触しない。クリップ６０の外側フィンガ７３は中央フィンガ７５よりも実質的に可撓性がなく、カバーパネル７は、外側フィンガ７３が開口２５および２６と接触することにより水平方向に固定される。カバーパネル７の左側の対の側部クリップ６０とカバーパネル７の右側の対の側部クリップ６０との間の水平方向寸法が変わる場合、この変化によりカバーパネル７の右縁の位置が変わる。これは、右側開口２７および２８に位置付けられた側部クリップ６０が中央フィンガ７５の可撓性により水平方向に「ずれる」からである。同様に、上部開口２５および２７に配置された側部クリップ６０の最上対は相対的に固定される。上部の対の側部クリップ６０と下部の対の側部クリップ６０との間の垂直方向寸法が変わる場合、下部の対の側部クリップ６０は下部開口２６および２８内で垂直方向に「浮動」する。これは、下部開口の垂直方向寸法Ｈ２が上部の対の開口２５および２７の垂直方向寸法Ｈ１よりも大きいからである。
【００３１】
図２６Ａはさらに、Ｔ字形開口２５へのクリップ６０の係合を示す。上述のように、外側脚部７３は開口２５の垂直縁部９１および９２と接触することにより、カバーパネル７の水平方向の移動を防止する。中央フィンガ７５は切欠部９０内に延びる。切欠部９０はフィンガ７５よりも大きいため、フィンガ７５は開口２５の縁と接触せず、したがって開口２５に受け入れられた際にいかなる保持作用も果たさない。クリップ６０は開口２５に関連して上述したのとほぼ同じ方法で開口２６に係合するが、開口２６はＨ１よりも大きい垂直方向寸法Ｈ２を有して、開口２６内でクリップ６０が垂直方向にずれるのを可能にする点が異なる。
【００３２】
図２６Ｂをさらに参照すると、クリップ６０がＵ字形開口２７に受け入れられると、可撓性中央フィンガ７５はタブ９５の縁９６と接触する。外側脚部７３は開口２７の切欠領域９７に受け入れられる。切欠領域９７は脚部７３よりも大きいため、脚部７３は開口２７の垂直側縁９８と接触せず、脚部７３は、開口２７に受け入れられるとカバーパネル７を水平方向に位置決めしない。脚部７５は可撓性を有するため、クリップ６０は開口２７内で水平方向に移動することができる。下部脚部７３の下縁７３Ａは、開口２７の下縁２７Ａと接触してカバーパネル７を垂直方向に支持する。クリップ６０は、開口２７とほぼ同じ方法で下部Ｕ字形開口２８と係合するが、下部開口２８は垂直方向寸法Ｈ１よりも大きい垂直方向寸法Ｈ２を有することにより、寸法のばらつき等により開口２８内でクリップ６０が垂直方向に移動（浮動）することを可能にする点が異なる。
【００３３】
要するに、各パネルフレーム２の左上開口２５は、関連するカバーパネル７の左上角部を水平方向および垂直方向の両方で「固定」し、水平方向寸法のばらつきによりカバーパネル７の右縁および／または右側部クリップ６０が水平方向にずれ、製造公差等によるカバーパネル７の垂直方向寸法のばらつきによりカバーパネル７の下縁および／または下部クリップ６０が垂直方向にずれる。カバーパネル７の左縁をこのように正確に位置付けまたは固定することにより、水平方向に隣接するカバーパネル７間の水平方向のギャップの指定変化量（specified variation）を維持しつつ、製造公差を大きくすることができる。同様に、カバーパネル７の上縁を固定することにより、分割カバーパネルを利用する場合に垂直方向に隣接するカバーパネル７間に必要な垂直方向のギャップを維持しつつ、垂直方向の公差を大きくすることができる。さらに、この配置により、左上クリップ６０に基づいてパネル７を適切に位置決めしつつ、側部クリップ６０間の寸法の公差を大きくすることができる。
【００３４】
図７Ａを参照すると、開口２５の代替の実施形態２５Ａは、ほぼＴ字形であり、開口２５に関連して上述したのとほぼ同じカバーパネル搭載特徴を提供する。しかしながら、開口２５Ａは、切欠部９０Ａが内側に向かって延びる向きになっている。代替の開口２５Ａは、以下でより詳細に説明する代替のクリップ６０Ａとともに利用され、図２３Ａ〜図２３Ｄに示される。クリップ６０Ａは、中央フィンガ７５Ａおよび外側フィンガ７３Ａを含み、これらは詳細に上述したクリップ６０のフィンガ７３および７５とほぼ同じように動作する。外側フィンガ７３Ａは、開口２５Ａの側縁９１Ａおよび９１Ｂとしっかりと係合し、カバーパネル７を位置付ける。しかしながら、開口２５とは異なり、開口２５Ａは、クリップ６０Ａの中央フィンガ７５Ａが切欠部９０Ａの側縁９０Ｂと係合するように比較的小さい全水平方向寸法「Ｄ」を有する。したがって、可撓性中央フィンガ７５Ａは、カバーパネルを矢印「Ｂ」の方向に外側に付勢して、カバーパネル７がカバーパネル７の反り、膨出、または他の歪みを防止するよう張力がかかった状態となることを確実にする。
【００３５】
図９Ａをさらに参照すると、開口２７の代替の実施形態２７Ａは、開口２７に関連して上述したのとほぼ同じカバーパネル搭載特徴を提供する。開口２７Ａの幅Ｗ２は比較的大きく、クリップ６０Ａの可撓性中央フィンガ７５Ａのみが開口２７Ａの側縁２７Ｂと係合するようになっている。クリップ６０Ａのベース部６０Ｂ（図２３Ｂ）は、開口２７Ａの側縁２７Ｃと接触する。開口２７Ａの側縁２７Ｂに沿った可撓性フィンガ７５Ａの係合により、カバーパネル７は矢印「Ｃ」（図９Ａ）の方向に付勢され、それにより、カバーパネル７の反り、膨出、または他の歪みを防止するようカバーパネル７に水平方向の張力が生じる。
【００３６】
開口２５Ａとほぼ同じ形状を有するが、ただし高さはＨ２である下部開口（図示せず）を利用して、詳細に上述した開口２６とほぼ同じカバーパネル搭載特徴を提供することができる。同様に、開口２７Ａとほぼ同じ形状を有する右下開口（図示せず）を、高さをＨ２にして設けることができ、これにより右下開口は詳細に上述した開口２８とほぼ同じ搭載特徴を提供する。したがって、開口２５Ａおよび２７Ａの形状はカバーパネル７に水平方向の張力を与えるが、その他の点では、開口２５〜２８に関連して詳細に上述し、かつ図１８Ａに概略的に示したのと同じ公差特性を提供する。
【００３７】
図２３Ｄを参照すると、クリップ６０Ａは一対の可撓性延長部２３６および２３７を含み、これらはカバーパネル７の背面８６の開口８０Ａおよび８０Ｂ内に受け入れられる。図２３Ｄに示す位置に装着されると、可撓性延長部２３６および２３７のリテーナ２３８および２３９がカバーパネル７の金属板２４１の内面２４０と係合し、それによりカバーパネル７上でクリップ６０Ａを保持する。
【００３８】
図１を参照すると、仕切りシステム１はオフモジュール(off-module)パネル１００を含んでもよく、オフモジュールパネルは、システムの他の仕切りパネルと全く同じ構成を有する仕切りフレーム２を含む（例えば図２〜図５を参照）。上部ブラケット１０１および下部ブラケット１０２は、パネル１００に接続され、パネル１００を仕切りパネル２の上部水平スロット列１２および下部水平スロット列１３と相互接続し、仕切りフレーム２にオフモジュールパネル１００が接続される。オフモジュールパネルが接続される仕切りの直列の（in-line）列は、「スパイン壁（spine wall）」として一般に既知である。図２７をさらに参照すると、上部コネクタブラケット１０１は開口１０３を含み、開口１０３は、フレーム直立材８の開口１０４（図６も参照）にブラケット１０１を固定するための従来の締結具等を受け入れる。ブラケット１０１は、上部水平スロット列１２のうちの選択された１つに受け入れられる一対の水平方向に向いたフック１０６を有する水平延長部１０６を含む。オフモジュールパネル１００の高さが、接続されている隣接するパネルフレーム２よりも低い場合、フック１０５は構造中間梁１１Ｂの水平スロット列１５に受け入れられてよい。可撓性のキャッチ１０７は、ばね鋼でできており、わずかに下方に延びる。装着の際、フック１０５をまずスロット１２に挿入し、次に水平方向にずらしてフック１０５を係合させる。フック１０５の挿入の際、キャッチ１０７はフレーム部材９と接触すると下方に曲がり、次に、ブラケット１０１がずれてフック１０５と完全に係合すると跳ね返ってスロット１２に戻る。キャッチ１０７はこのようにしてフック１０５の偶発的な係脱を防止する。ブラケット１０１を係脱させるには、キャッチ１０７を曲げてスロット１２から外し、ブラケット１０１を水平方向にずらしてフック１０１を係脱させる。
【００３９】
図２８を参照すると、下部ブラケット１０２は、一対の開口１１１をそれぞれが有する一対のフランジ１１０を含む。装着されると、ブラケット１０２のフランジ１１０はフレーム２の脚部１０８（図３も参照）の周りに延び、従来の締結具等（図示せず）が開口１１１および１０９に受け入れられて、ブラケット１０２を脚部１０８に固定する。ブラケット１０２は、一対の水平方向に向いたフック１１２および可撓性のキャッチ１１３を含む。フック１１２およびキャッチ１１３は、上述したように、上部ブラケット１０１のフック１０５およびキャッチ１０７とほぼ同じように動作する。上部および下部ブラケット１０１および１０２は、オフモジュールパネル１００が任意の水平方向の位置でフレーム２に接続されることを可能にする。
【００４０】
図２９をさらに参照すると、一対の隣接するパネルフレーム２を相互接続してインライン(in-line)接合部１１５を形成するようにインラインコネクタブラケット１１４が設けられる。ブラケット１１４は、ベースウェブ１１６および一対の立ち上がりフランジ１１７を有し、ブラケット１１４がシェル状のＵ字形断面（shell U-shaped cross section）を有するようになっている。図３０をさらに参照すると、フレーム２の一対のねじ付き開口１１８が、従来の円錐形状のヘッド１２１をそれぞれ有する締結具１２０Ａおよび１２０Ｂを螺合可能に受け入れる。締結具１２０Ａおよび１２０Ｂは、ブラケット１１４の逃げ開口（clearance opening）１１９Ａおよび１１９Ｂを通って延びる。組み立ての際、まず、インラインブラケット１１４をフレーム２の上面１２２と密接するように引き付けて、締結具１２０Ａを締める。次に、締結具１２０Ｂをねじ付き開口１１８Ｂに螺合可能に係合させる。隣接するフレーム２の対が互いに当接している場合、開口１１９Ａと１１９Ｂとの間の距離は開口１１８Ａと１１８Ｂとの間の間隔よりも幾分短い。したがって、ねじ式締結具１２０Ｂのヘッド１２１の円錐外面１２３は、逃げ孔１１９Ｂの縁１２４と接触する。ねじ式締結具１２０Ｂをさらに締めると、隣接するフレーム２０はそれにより引き付けられて、すなわち押し付けられて互いに密接する。さらに、ブラケット１１４の立ち上がりフランジ１１７は、隣接するフレーム２の上縁に沿ったチャネル２９の幅と同じかまたはそれよりも小さい幅を有するため、ブラケット１１４は、隣接するフレーム２を同一平面に整列させる役割も果たす。
【００４１】
図３１をさらに参照すると、下部インラインコネクタブラケット１２５は、隣接するパネル２をその下部角部に隣接して相互接続するために利用される。ブラケット１２５は、垂直フレーム部材２の側壁１２８の開口１２７（図３２も参照）に受け入れられる小さいタブ１２６を含む。ブラケット１２５の開口１２９はねじ式締結具１３０を受け入れ、ねじ式締結具１３０は、垂直フレーム部材８の側壁１２８のねじ付き開口１３１と係合することにより、ブラケット１２５をフレーム２Ａに固定する。ブラケット１２５は、フランジ１３３から延びる舌部１３２も含む。舌部１３１は、テーパ状の縁１３４と、延長部１３６を有する拡大端部１３５とを含む。端部１３５にさらなる強度を与えるようにフラップ１３７が折り重ねられる。垂直フレーム部材８は、テーパ状部１４０を有する下縁１３９を備える開口１３８を含む。下縁１３９は、側縁１４２および下縁１４３を有する切欠部１４１も画定する。
【００４２】
図３３をさらに参照すると、ブラケット１２５をまず、第１の仕切りフレーム２Ａの側縁１４４に固定する。次に、フレーム２Ａの側縁１４４をわずかに持ち上げ、ブラケット１２５の舌部１３２を隣接する仕切りフレーム２Ｂの開口１３８の大きい上側部分１４５（図３１も参照）に挿入する。次に、仕切りフレーム２Ａの縁１４４を下げ、ブラケット１２５の縁１３４の根元部（root portions）１４６が切欠部１４１の縁１４２に密接して嵌まるようにする。仕切りフレーム２Ａの縁１４４を下げると、舌部１３２が切欠部１４１の下縁１４３と係合し、仕切りフレーム２Ａのグライド１６Ａが床面１８からわずかに持ち上がる、すなわち離れる。次に、上部ブラケット１１４を、ねじ式締結具１２０Ａおよび１２０Ｂを締めることにより装着する。ねじ式締結具１２０Ａおよび１２０Ｂを締めると、仕切りフレーム２Ａの側縁１４４が下方に押し下げられる。ブラケット１２５の縁１４７は仕切りフレーム２Ｂの内側面１４８（図３２）と接触させられる。締結具１２０Ａおよび１２０Ｂをさらに締めると、舌部１３２が、舌部１３２とウェブ１３３との間に画定されたベンド(bend)１４９を中心として上方に曲がる。縁１４７とウェブ１３３との間の距離は、隣接するフレーム２Ａおよび２Ｂがブラケット１２５の変形を伴わずに垂直に整列することがないことを確実にするよう選択される。舌部１３２が上方に曲がると、舌部１３２は、ウェブ１３３の上部１５０が垂直フレーム部材８の外面１５１からわずかに外側に曲がるように張力状態に置かれる。舌部１３２に加わる張力およびウェブ１３３の変形により、隣接するフレーム２Ａおよび２Ｂがしっかりと引張られて互いに当接係合する。さらに、舌部１３２の根元部１４６が切欠部１４１の縁１４２と密接に係合し、隣接するフレーム２Ａおよび２Ｂも同一の垂直平面に整列することになる。
【００４３】
インラインコネクタブラケットの代替の実施形態１１４Ａを利用して、一対の隣接するパネルフレーム２を相互接続してもよい。ブラケット１１４Ａは、詳細に上述したブラケット１１４とほぼ同じであるが、ブラケット１１４Ａはブラケット１９３の開口１１４Ｃ内に受け入れられる一対の下方に延びるタブ１１４Ｂを含む点が異なる。タブ１１４Ｂは、開口１１４Ｃ内に密接に受け入れられ、それによりブラケット１１４Ａおよび隣接する仕切りフレーム２の整列を維持する。
【００４４】
図２９Ｂ〜図２９Ｅをさらに参照すると、下部インラインコネクタブラケットの代替の実施形態１２５Ａは、インラインコネクタ１２５に関連して詳細に上述したのとほぼ同じ方法で一対の隣接するフレーム２を相互接続する拡大端部１３５Ａを有する舌部１３２Ａを含む。しかしながら、上述のブラケット１２５とは異なり、ブラケット１２５Ａの根元部１４６Ａは開口１４５（図３１も参照）の切欠部１４１内に緩く嵌まるため、ブラケット１２５Ａの舌部１３２Ａは隣接するパネルフレーム２を実質的に整列させない。ブラケット１２５Ａは下部延長部２４５を含み、下部延長部２４５は、隣接する仕切りフレーム２の垂直チャネル２９Ａ（図２９Ｅ）の側壁２９Ｂに対して密接に嵌まる両側縁２４６を有する。下部延長部２４５は、下部延長部２４５の位置決めおよび位置合わせ機能をさらに示すために図３２に破線でも示される。舌部１３２Ａは、ブラケット１２５Ａの拡大端部１３５Ａに剛性を与える下方延長フラップ１３７Ａを含む。
【００４５】
図３４をさらに参照すると、一対の隣接する仕切りパネルフレーム２は、平面図で見た場合にＬ字接合部１５５を形成するように相互接続することができる。隣接するパネルフレームを接合して、Ｔ字接合部１５６（図３５）、Ｘ字接合部１５７（図３６）、Ｖ字接合部１５８（図３７）、またはＹ字接合部１５９（図３８）を形成することもできる。
【００４６】
図３９をさらに参照すると、ブラケット１６０は、図３４〜図３８に示す接合部を形成するために利用される構成要素の１つである。ブラケット１６０は、垂直フレーム部材８のねじ付き開口１６２に受け入れられる従来のねじ式締結具１６１によって垂直フレーム部材８のチャネル２９内に固定される。
【００４７】
図４０〜図４０Ｂをさらに参照すると、上部および下部ブラケットアセンブリ１８０、１６５はそれぞれ、Ｌ字接合部１５５（図３４）、Ｔ字接合部１５６（図３５）、またはＸ字接合部１５７（図３６）を形成するために利用することができる突出部１６６を含む。突出部１６６は、一対の対向スロット１６８をそれぞれが含む４つのチャネル１６７を含む。組み立ての際、ブラケット１６０をまず、垂直フレーム部材８の下端に隣接して垂直チャネル２９Ａにおいて垂直フレーム部材８に固定する。次に、ブラケット１６０の縁１６３がチャネル１６７の対向スロット１６８に受け入れられた状態で、突出部１６６を下方に摺動させることにより、下部ブラケットアセンブリ１６５の突出部１６６をブラケット１６０に配置する。次に、リテーナブラケット１６９を、突出部１６６のねじボス１７０に受け入れられる従来の締結具１７１によって突出部１６６に固定する。次に、ねじ式締結具１７４を用いて、リテーナブラケット１６９をブラケット１６０に接続する。リテーナブラケット１６９のフランジ１７５は上部フランジ１７６よりも低くオフセットしており、これにより突出部１６６はブラケット１６０に対して垂直方向にオフセットして、突出部１６６の下縁１７２がブラケット１６０の面１７３に対してギャップを形成する。突出部１６６はこのようにして第１の仕切りフレーム２Ａ上に保持される。続いて、図３４、図３５、および図３６に示す平面形状（plan configurations）に組み立てるために、ブラケット１６０を必要な数の仕切りパネルフレーム２に固定する。次に、必要な数の仕切りパネルフレーム２を突出部１６６に固定することができ、突出部１６６は、パネル縁を持ち上げて、ブラケット１６０の縁１６３を突出部１６６のチャネル６７の対向スロット１６８内に下方に摺動させることにより第１の仕切りフレーム２Ａに取り付けられる。特定の用途に必要な場合、１つの隣接するパネルフレーム２Ａを図３４のＬ字接合部１５５を形成するように組み立ててもよい。あるいは、２つの追加のパネルフレームを第１のパネルフレーム２Ａに接続して、図３５のＴ字接合部１５６を形成してもよい。最後に、３つの追加のパネルフレーム２を第１のパネルフレーム２Ａと相互接続して、図３６に示すＸ字接合部１５７を形成してもよい。
【００４８】
突出部１６６はまた、上部ブラケットアセンブリ１８０とともに利用される。下部ブラケットアセンブリ１６５を組み立て、隣接するフレームを所望の構成に配置した後、ブラケット１６０を第１のパネルフレーム２Ａおよび隣接するパネルフレームに固定する。次に、突出部１６６を下方に摺動させてブラケット１６０と係合させ、次にプレート１８１を利用して、ねじボス１７０に受け入れられる従来のねじ式締結具１８２およびブラケット１６０のねじ付き開口１６４に受け入れられる締結具１８３によって、ブラケット１６０を突出部１６６に相互接続する。
【００４９】
図４１をさらに参照すると、突出部１８５は図３７のＶ字接合部を形成するために利用してもよく、図３８のＹ字接合部１５９を形成するために利用してもよい。突出部１８５は、突出部１６６のチャネルとほぼ同じ複数のチャネル１６７を含み、突出部１８５を用いて、突出部１６６に関連して詳細に上述したのとほぼ同じように所望の平面形状で隣接パネルを相互接続する。
【００５０】
図４２をさらに参照すると、スタッカ(stacker)フレーム１９０を仕切りフレーム２に固定して、仕切りパネルの高さを増加させてもよい。スタッカフレーム１９０は、ベースフレーム２のフレーム部材８および９とほぼ同一の垂直フレーム部材８および水平上部フレーム部材９を含む。しかしながら、以下でより詳細に説明するように、スタッカフレーム１９０の下部水平横部材１９１はベースフレーム２の下部水平横部材１０とは幾分異なる。スタッカフレーム１９０とベースフレーム２とを固く相互接続するよう組み立てると、一対のコネクタまたはバヨネット(bayonet)１９２がベースフレーム２およびスタッカフレーム１９０の垂直側部フレーム部材８の中に延びる。図４６をさらに参照すると、横部材９は、ほぼＵ字形の断面を形成する下部水平ウェブ２１５および垂直側部ウェブ２１６を含む。水平部２１７が垂直側部ウェブ２１６から内側に延び、内側傾斜部２１８が水平部２１７から下方に延びる。縁部２１９が傾斜部２１８から水平方向に延びる。スタッカフレーム１９０の横部材１９１は、上部水平ウェブ部２２０と、垂直内側ウェブ２２１と、水平ウェブ部２２３を介して内側ウェブ２２１につながる上方に延びる外側垂直ウェブ２２２とを含む。折り重ねフランジ部２２４が、水平ウェブ部２２３の下方に突出する。図４６に示すように組み立てた場合、スタッカ横部材１９１の水平ウェブ部２２３は水平横部材９の水平部２１７に当接する、すなわち乗る。折り重ねフランジ部２２４は、横部材９の傾斜部２１８に対して密接に嵌まり、水平フレーム部材１９１と横部材９との横方向の整列を容易にする。
【００５１】
図４４をさらに参照すると、コーナーブラケット部材１９３は垂直部１９４を含み、垂直部１９４はベースフレーム２の垂直側部フレーム部材８の開放上端１９５に受け入れられる。ブラケット１９３は、組み立てられるとチャネル２９に嵌まる板状水平部１９６も含む。ねじ式締結具１９８が楕円開口１９７に受け入れられて、ブラケット１９３をフレーム２に固定する。あるいは、コーナーブラケット１９３は、ベースフレーム２に溶接されるか、または他の方法で適当に固定されてもよい。ブラケット１９３は、水平部１９６を通る矩形開口１９９を含み、矩形開口１９９はバヨネットブラケット１９２の細長い下端２００（図４３も参照）を受け入れる。図４５をさらに参照すると、コーナーブラケット１９３の垂直部１９４は、ベースフレーム２の垂直フレーム部材８の内側壁２０１と２０８との間に密接に嵌まる。バヨネットブラケット１９２の細長い下端２００は、コーナーブラケット１９３の垂直部１９４の細長いスロット２０３（図４４）内に密接に嵌まる。スロット２０３により、バヨネットブラケット１９２が垂直位置に確実に維持される。コーナーブラケット１９３の下部側壁２０５の開口２０４（図４５）は、フレーム２および１９０の平面の回転に対して垂直な向きにバヨネットブラケット１９２を維持する。
【００５２】
図４３を参照すると、バヨネットブラケット１９２は、一対の上部延長部２０６と複数のねじ付き開口２０７とを含む。延長部２０６は、スタッカフレーム１９０の開口２０９（図４４）と位置合わせしてユーティリティラインを通すこととができるＵ字形開放領域２０８を形成する。複数のねじ式締結具２１０が、スタッカフレーム１９０の垂直側部フレーム部材の逃げ開口２１１を通って延び、組み立てられるとバヨネットブラケット１９２のねじ付き開口２０７に螺合可能に受け入れられる。バヨネットブラケット１９２は、細長い下端２００内のかなりの距離にわたって延びる細長いスロット２１２を含む。バヨネットブラケット１９２のねじ付き開口２０７間の距離Ｄ１は、スタッカフレーム１９０の垂直フレーム部材８の逃げ開口２１１間の距離Ｄ２（図４４）よりも幾分短い。ねじ式締結具２１０は、従来の円錐ヘッドを有し、ねじ式締結具２１０を締めると円錐ヘッドが開口２１１の縁と接触するようになっている。ねじ式締結具２１０をさらに締めると、上部延長部２０６がわずかに押し広げられ、それにより、バヨネットブラケット１９２の細長い下端２００の側縁２１３がコーナーブラケット１９３の矩形開口１９９の側縁と密接に係合するよう押し付けられる。このようにして、バヨネットブラケット１９２はスタッカフレーム１９０をベースフレーム２に固く固定し、また、ベースフレーム２に対してスタッカフレーム１９０を整列させる。
【００５３】
スタッカ１９０は、データ線または通信回線等のユーティリティラインを水平方向に配線するための上部チャネル２９を含む。スタッカフレーム１９０の下部フレーム部材１９１は複数の開口２１４を含み、開口２１４は、ベースフレーム２の上部水平フレーム部材９の開口５８（図４も参照）と整列して、スタッカフレーム１９０とベースフレーム２との間の配線を垂直方向に配線することを可能にする。スタッカフレーム１９０は、上述とほぼ同じようにカバーパネル７を搭載するための複数の開口２３、２４、２５、２６、２７、および２８も含む。
【００５４】
上記の説明では、本明細書に開示される概念から逸脱することなく本発明に変更を加えることができることは、当業者には容易に理解されるであろう。添付の特許請求の範囲においてその文言による別段の明示がない限り、かかる変更はかかる特許請求項に含まれるとみなされるものとする。
【図面の簡単な説明】
【００５５】
【図１Ａ】本発明を具現する仕切りパネルシステムの斜視図である。
【図１Ｂ】図１Ａの仕切りパネルシステムの部分分解斜視図である。
【図２】仕切りフレームの底面図である。
【図３】図２のパネルフレームの正面図である。
【図３Ａ】図２のＩＩＩＡ−ＩＩＩＡ線に沿った断面図である。
【図３Ｂ】図２のＩＩＩＢ−ＩＩＩＢ線に沿った断面図である。
【図３Ｃ】図４の仕切りフレームの部分断片（partially fragmentary）断面図である。
【図３Ｄ】図３ＣのＩＩＩＤ−ＩＩＩＤ線に沿った部分断片図である。
【図３Ｆ】図３ＤのＩＩＩＦ−ＩＩＩＦ線に沿った部分断片断面図である。
【図４】図３のパネルフレームの上面図である。
【図５】図３のパネルフレームの右側図である。
【図６】垂直フレーム部材の部分斜視図である。
【図７】搭載クリップを受け入れてカバーパネルを支持するアパーチャの拡大図である。
【図７Ａ】図７のアパーチャの代替の実施形態の拡大図である。
【図８】搭載クリップを受け入れてカバーパネルを支持するアパーチャの拡大図である。
【図９】搭載クリップを受け入れてカバーパネルを支持するアパーチャの拡大図である。
【図９Ａ】図９のアパーチャの代替の実施形態の拡大図である。
【図１０】搭載クリップを受け入れてカバーパネルを支持するアパーチャの拡大図である。
【図１１】中間水平梁、カバーパネル、および壁掛け式家具ユニットを示す、本発明を具現する仕切りシステムの平面図である。
【図１２】軽荷重用中間水平梁の部分上面図である。
【図１３】図１２の軽荷重用中間水平梁の部分正面図である。
【図１４】ＸＩＶ−ＸＩＶ線に沿った図１３の軽荷重用中間水平梁の端面図である。
【図１５】構造中間水平梁の部分上面図である。
【図１６】図１５の構造中間水平梁の部分正面図である。
【図１７】ＸＶＩＩ−ＸＶＩＩ線に沿った図１６の構造中間水平梁の断面図である。
【図１７Ａ】安全キャッチを有する中間梁の端部の部分分解斜視図である。
【図１７Ｂ】安全キャッチを有する中間梁の端部の部分分解斜視図である。
【図１７Ｃ】図１７の構造中間水平梁の代替の実施形態の断面図である。
【図１８Ａ】カバーパネルを搭載する公差設計を示す、図３の仕切りフレームの概略側面図である。
【図１８Ｂ】カバーパネルへのカバーパネル保持クリップの搭載を示す部分分解斜視図である。
【図１９】図１８の上部／底部カバーパネル搭載クリップの正面図である。
【図２０】図１９の上部／底部カバーパネル搭載クリップの上面図である。
【図２１】図１９の上部／底部カバーパネル搭載クリップの右側図である。
【図２２】図１９の上部／底部カバーパネル搭載クリップの斜視図である。
【図２３】カバーパネルの左右垂直側縁に沿って利用されるカバーパネルクリップの正面図である。
【図２３Ａ】図２３〜図２６に示すカバーパネルクリップの代替の実施形態の上面図である。
【図２３Ｂ】図２３Ａのクリップの側面図である。
【図２３Ｃ】図２３Ａのクリップの正面図である。
【図２３Ｄ】図２３ＣのＸＸＩＩＩＤ−ＸＸＩＩＩＤ線に沿った断面図である。
【図２４】図２３のカバーパネル搭載クリップの上面図である。
【図２５】図２３のカバーパネル搭載クリップの右側面図である。
【図２６】図２３のカバーパネル搭載クリップの斜視図である。
【図２６Ａ】垂直フレーム部材の側壁の開口を通って延びるカバーパネル搭載クリップを示す部分斜視図である。
【図２６Ｂ】垂直フレーム部材の側壁の開口を通って延びるカバーパネル搭載クリップを示す部分斜視図である。
【図２７】オフモジュールパネルを搭載するための上部コネクタブラケットの斜視図である。
【図２８】オフモジュールパネルを搭載するための下部ブラケットである。
【図２９】インラインコネクタの部分斜視図である。
【図３０】図２９のＸＸＸ−ＸＸＸ線に沿ったインラインコネクタの断面図である。
【図３１】下部インラインコネクタブラケットの斜視図である。
【図３２】仕切りパネルとの図３１のブラケットの係合を示す、一対の隣接する仕切りパネルの一部の断面図である。
【図３３】一対の並んだ仕切りフレームの組み立てを示す側面図である。
【図３４】Ｌ字接合部を形成する一対の仕切りパネルの概略平面図である。
【図３５】相互接続されてＴ字接合部を形成する３つの隣接する仕切りパネルの概略平面図である。
【図３６】相互接続されてＸ字接合部を形成する４つの隣接するパネルの概略平面図である。
【図３７】相互接続されてパネル間に１２０°の角度を有するＶ字接合部を形成する一対のパネルの概略平面図である。
【図３８】互いに対して１２０°の角度で相互接続されてＹ字接合部を形成する３つの隣接するパネルの概略平面図である。
【図３９】垂直フレーム部材の一部と、パネルを相互接続して図３４〜図３８のＬ字接合部、Ｔ字接合部、Ｘ字接合部、Ｖ字接合部、Ｙ字接合部を形成するブラケットとの、部分断片斜視図である。
【図４０】パネルを相互接続してＬ、Ｔ、Ｘ字平面形状を形成するために利用することができるブラケットアセンブリを示す斜視図である。
【図４０Ａ】パネルを相互接続してＬ、Ｔ、Ｘ字平面形状を形成するために利用することができるブラケットアセンブリを示す斜視図である。
【図４０Ｂ】パネルを相互接続してＬ、Ｔ、Ｘ字平面形状を形成するために利用することができるブラケットアセンブリを示す斜視図である。
【図４１】図３７および図３８のＶ字平面形状およびＹ字平面形状を形成するために利用することができるブラケットの斜視図である。
【図４２】ベースフレームおよびスタッカフレームを含む仕切りアセンブリの分解側面図である。
【図４３】スタッカフレームをベースフレームに接続する図４３のバヨネットの正面図である。
【図４４】ベースフレーム、スタッカフレーム、およびバヨネットの部分分解斜視図である。
【図４５】スタッカフレーム、ベースフレーム、およびバヨネットの部分断面図である。
【図４６】図４５のＸＬＶＩ−ＸＬＶＩ線に沿った断面図である。
【図１Ａ】
2005517841.tif 000003
【図１Ｂ】
2005517841.tif 000004
【図２】
2005517841.tif 000005
【図３】
2005517841.tif 000006
【図４】
2005517841.tif 000007
【図５】
2005517841.tif 000008
【図７】
2005517841.tif 000009
【図８】
2005517841.tif 000010
【図９】
2005517841.tif 000011
【図１０】
2005517841.tif 000012
【図３Ａ】
2005517841.tif 000013
【図３Ｂ】
2005517841.tif 000014
【図３Ｃ】
2005517841.tif 000015
【図３Ｄ】
2005517841.tif 000016
【図３Ｆ】
2005517841.tif 000017
【図６】
2005517841.tif 000018
【図７Ａ】
2005517841.tif 000019
【図９Ａ】
2005517841.tif 000020
【図１１】
2005517841.tif 000021
【図１２】
2005517841.tif 000022
【図１３】
2005517841.tif 000023
【図１４】
2005517841.tif 000024
【図１５】
2005517841.tif 000025
【図１６】
2005517841.tif 000026
【図１７】
2005517841.tif 000027
【図１７Ｃ】
2005517841.tif 000028
【図１７Ａ】
2005517841.tif 000029
【図１７Ｂ】
2005517841.tif 000030
【図１８Ａ】
2005517841.tif 000031
【図１８Ｂ】
2005517841.tif 000032
【図１９】
2005517841.tif 000033
【図２０】
2005517841.tif 000034
【図２１】
2005517841.tif 000035
【図２２】
2005517841.tif 000036
【図２３】
2005517841.tif 000037
【図２４】
2005517841.tif 000038
【図２５】
2005517841.tif 000039
【図２６】
2005517841.tif 000040
【図２３Ａ】
2005517841.tif 000041
【図２３Ｂ】
2005517841.tif 000042
【図２３Ｃ】
2005517841.tif 000043
【図２３Ｄ】
2005517841.tif 000044
【図２６Ａ】
2005517841.tif 000045
【図２６Ｂ】
2005517841.tif 000046
【図２７】
2005517841.tif 000047
【図２８】
2005517841.tif 000048
【図２９】
2005517841.tif 000049
【図２９Ａ】
2005517841.tif 000050
【図２９Ｂ】
2005517841.tif 000051
【図２９Ｃ】
2005517841.tif 000052
【図２９Ｄ】
2005517841.tif 000053
【図２９Ｅ】
2005517841.tif 000054
【図３０】
2005517841.tif 000055
【図３１】
2005517841.tif 000056
【図３２】
2005517841.tif 000057
【図３３】
2005517841.tif 000058
【図３４】
2005517841.tif 000059
【図３５】
2005517841.tif 000060
【図３６】
2005517841.tif 000061
【図３７】
2005517841.tif 000062
【図３８】
2005517841.tif 000063
【図３９】
2005517841.tif 000064
【図４０】
2005517841.tif 000065
【図４０Ａ】
2005517841.tif 000066
【図４１】
2005517841.tif 000067
【図４０Ｂ】
2005517841.tif 000068
【図４２】
2005517841.tif 000069
【図４６】
2005517841.tif 000070
【図４３】
2005517841.tif 000071
【図４４】
2005517841.tif 000072
【図４５】
2005517841.tif 000073
【国際調査報告】
2005517841.tif 000074